(57)【要約】【課題】インターネット閲覧システムに関し、特に車載用ナビゲーション装置の地図情報等やインターネット上におけるその関連情報を有効に活用して表示するインターネット閲覧システムを提供する。【解決手段】インターネット閲覧システムは、特定カテゴリーの情報を格納するデータベースと、前記特定カテゴリーの情報のインデックス情報を作成する辞書機能と、表示するホームページ内の言葉と前記インデックス情報との一致を検出し、一致した言葉を強調表示して、その言葉をインデックス情報に対応する特定カテゴリーの情報とリンクさせるブラウザ機能と、を有する。【選択図】      図３
2004287569.tif 000002
【特許請求の範囲】
【請求項１】
特定カテゴリーの情報を格納するデータベースと、
前記特定カテゴリーの情報のインデックス情報を作成する辞書機能と、
表示するホームページ内の言葉と前記インデックス情報との一致を検出し、一致した言葉を強調表示して、その言葉をインデックス情報に対応する特定カテゴリーの情報とリンクさせるブラウザ機能と、により構成することを特徴とするインターネット閲覧システム。
【請求項２】
前記データベース及び前記辞書機能は、前記特定カテゴリー毎に設けられる、請求項１記載のシステム。
【請求項３】
前記特定のカテゴリーは「地名」を含み、前記データベースは「地図情報」を含む、請求項１記載のシステム。
【請求項４】
前記ブラウザ機能は、前記一致した同じ言葉が複数あるときは、一つの言葉のみ強調表示する、請求項１記載のシステム。
【請求項５】
前記ブラウザ機能は、前記一致した言葉に対応する特定カテゴリーの情報が複数あるときは、いずれか一つの選択手段を提供する、請求項１記載のシステム。
【請求項６】
前記ブラウザ機能は、前記一致した言葉を強調表示するのに代えて、その言葉をフレーム表示する、請求項１記載のシステム。
【請求項７】
前記辞書機能は、前記インデックス情報に対応する前記特定カテゴリーの情報が複数あるときは、所定の条件によりそのうちの１つのインデックス情報を作成する、請求項１記載のシステム。
【請求項８】
インターネットと、
インターネットにアクセスする情報端末と、
インターネット上のサーバと、で構成され、
前記情報端末は、
インターネット上のホームページを要求して表示するブラウザ機能を有し、
前記サーバは、
特定カテゴリーの情報を格納するデータベースと、
前記特定カテゴリーの情報のインデックス情報を作成する辞書機能と、
前記情報端末が要求したホームページ内の言葉と前記インデックス情報との一致を検出し、一致した言葉を強調表示させ且つその言葉に対応する前記データベースとのリンク情報を含ませた修正後のホームページを前記情報端末に送信する機能と、を有する、
ことを特徴とするインターネット閲覧システム。
【請求項９】
前記データベース機能は、インターネット上の他のサーバ上に分散される、請求項８記載のシステム。
【請求項１０】
インターネットと、
インターネットへアクセスする情報端末と、
インターネット上のサーバと、で構成され、
前記情報端末は、
特定カテゴリーの情報を格納するデータベースと、
インターネット上のホームページを要求して表示し、ホームページに含まれる前記データベースとのリンク情報に基づいて対応する特定カテゴリーの情報を表示するブラウザ機能と、を有し、
前記サーバは、
前記データベースにおける特定カテゴリーの情報のインデックス情報を作成する辞書機能と、
前記情報端末が要求したホームページ内の言葉と前記インデックス情報との一致を検出し、一致した言葉を強調表示させ且つその言葉に対応する前記データベースとのリンク情報を含ませた修正後のホームページを前記情報端末に送信する機能と、を有することを特徴とするインターネット閲覧システム。
【請求項１１】
前記サーバは、さらに特定カテゴリーの情報を格納するデータベースを有し、
前記情報端末のブラウザ機能は、自端末内のデータベースの情報を優先して表示する、請求項１０記載のシステム。
【請求項１２】
前記サーバのデータベース機能は、インターネット上の他のサーバ上に分散される、請求項１１記載のシステム。
【請求項１３】
前記情報端末は、前記サーバへ自端末内のデータベースの内容及び／又はサービスを要求するカテゴリーを特定するための情報を送信し、
前記サーバは、受信した前記情報に基づいてサーバ内の辞書機能を更新する、請求項８〜１２のいずれか一つに記載のシステム。
【請求項１４】
前記データベースの内容を特定するための情報は、データベースの版数である、請求項１３記載のシステム。
【発明の詳細な説明】
【０００１】
【発明の属する技術分野】
本発明はインターネット閲覧システムに関し、特に車載用ナビゲーション装置の地図情報やインターネット上におけるその関連情報等を有効に活用して表示するインターネット閲覧システムに関するものである。
【０００２】
【従来の技術】
図１は、インターネット上にあるホームページの一表示例を示したものである。
このホームページには、「神戸市で地震があったこと。」が示されており、リンクが張られた「地震のメカニズム」をクリックすると、その説明が表示される。このように、インターネットブラウザ上に表示されるリンク情報をクリックすると次々と興味ある情報が表示される。
【０００３】
また、ホームページ上で調べたい「言葉」がある場合には、インターネット上にある種々のサーチエンジンにアクセスしてそれらに関する情報を取得することができる。本例の場合、例えばインターネットブラウザ上で、選択したサーチエンジンの検索欄に「神戸市」と入力して検索ボタンを押下する。それにより、サーチエンジンに登録してある神戸市に関する多数のリンク情報が表示される。それらを個別にクリックすることで、「神戸市付近の地図」や「神戸市の観光案内」等の必要な情報を取得することができる。
【０００４】
他には、ＨＭＴＬ文書中の任意の単語をクリックすることで所定のサーチエンジンを始動させるように構成した例もある（例えば、特許文献１参照）。この場合、上記の例でいえば、インターネットブラウザ上の検索欄に「神戸市」を入力して検索を開始させるまでが自動化されるが、以降の操作は上記の例と同様である。
【０００５】
このように、一般には、ホームページ上に表示される通常の「言葉」にリンクが張られることはなく、それに関する情報を取得したい場合には自身でサーチエンジンを用いて検索する必要があった。また、その検索結果についても、表示された多数のリンク情報から必要な情報を自ら選別して取得する必要があった。さらに、検索処理まで自動化した場合でも、その結果である多数のリンク情報から最終的には必要な情報を自ら選別して取得する必要があった。
【０００６】
【特許文献１】
特開２０００−２９９０６号公報
【０００７】
【発明が解決しようとする課題】
しかしながら、上述したように、リンクの張られていない「言葉」の検索処理やその結果の選別処理は不便であり、検索ツール等を起動させずにより簡単な操作で必要な情報だけを取得することが望まれる。特に、インターネット通信可能な車載用ナビゲーション装置や携帯情報端末（携帯電話、ＰＤＡ、ノートＰＣ、等）（以降、これらを「移動情報端末」という。）においては、移動先の地図、建物の写真、建物の連絡先、等の適切な情報だけをすばやく取得できることが望まれる。
【０００８】
そこで本発明の目的は、上記問題点に鑑み、移動情報端末においてブラウザ上に表示される特定の「言葉」の簡単なクリック操作によって適切な情報だけを表示させるインターネット閲覧システムを提供することにある。
また本発明の目的は、一般の情報端末（ワークステーション、ＰＣ、等）においても、インターネットブラウザ上に表示される特定の「言葉」の簡単なクリック操作によって所望のカテゴリー範囲内の適切な情報だけを表示させるインターネット閲覧システムを提供することにある。
【０００９】
本発明によれば、特定カテゴリーの情報を格納するデータベースと、前記特定カテゴリーの情報のインデックス情報を作成する辞書機能と、表示するホームページ内の言葉と前記インデックス情報との一致を検出し、一致した言葉を強調表示して、その言葉をインデックス情報に対応する特定カテゴリーの情報とリンクさせるブラウザ機能と、により構成するインターネット閲覧システムが提供される。
【００１０】
また本発明によれば、インターネットと、インターネットにアクセスする情報端末と、インターネット上のサーバと、で構成され、前記情報端末は、インターネット上のホームページを要求して表示するブラウザ機能を有し、前記サーバは、特定カテゴリーの情報を格納するデータベースと、前記特定カテゴリーの情報のインデックス情報を作成する辞書機能と、前記情報端末が要求したホームページ内の言葉と前記インデックス情報との一致を検出し、一致した言葉を強調表示させ且つその言葉に対応する前記データベースとのリンク情報を含ませた修正後のホームページを前記情報端末に送信する機能と、を有する、インターネット閲覧システムが提供される。
【００１１】
さらに本発明によれば、前記情報端末は、特定カテゴリーの情報を格納するデータベースと、インターネット上のホームページを要求して表示し、ホームページに含まれる前記データベースとのリンク情報に基づいて対応する特定カテゴリーの情報を表示するブラウザ機能と、を有し、前記サーバは、前記データベースにおける特定カテゴリーの情報のインデックス情報を作成する辞書機能と、前記情報端末が要求したホームページ内の言葉と前記インデックス情報との一致を検出し、一致した言葉を強調表示させ且つその言葉に対応する前記データベースとのリンク情報を含ませた修正後のホームページを前記情報端末に送信する機能と、を有するインターネット閲覧システムが提供される。
【００１２】
また、前記サーバのデータベース機能は、インターネット上の他のサーバ上に分散される。そして、前記情報端末は、前記サーバへ自端末内のデータベースの内容及び／又はサービスを要求するカテゴリーを特定するための情報を送信し、前記サーバは、受信した前記情報に基づいてサーバ内の辞書機能を更新する。
【００１３】
【発明の実施の形態】
図２は、本発明よるインターネット閲覧システムが適用される通信システムの一例を示したものである。
図２において、移動情報端末１は、無線基地局２と通信するための無線電話部（ＴＥＬ）１４と、ナビゲーション用の地図情報等を格納する記録媒体１３と、インターネット上のホームページやナビゲーション地図情報等を表示する表示部１１と、インターネット接続制御やインターネットブラウザ表示制御／ナビゲーション地図表示制御等を行なうプロセッサ部（ＣＰＵ）１２と、で構成される。無線基地局２はＩＳＰやＡＳＰ等によるアクセスポイント３と接続され、移動情報端末１はそのアクセスポイント３を介してインターネットに接続される。
【００１４】
図３は、本発明よるインターネット閲覧システムの基本構成を示したものである。
図３のブラウザ機能２１は、インターネット上のホームページを表示するための機能であり、図２との対応では表示器１１、プロセッサ部１２、及び無線電話部１４によって実現される。ナビ用地図データベース２３は、ブラウザ機能２１により表示されるホームページ上の特定カテゴリーの「言葉（地名）」に関する地図情報等を格納し、また地名辞書２２はその地図情報とリンクする地名を検索用の辞書として保持する。
【００１５】
具体的には、ナビ用地図データベース２３は車載用ナビゲーション装置の記録媒体に格納された地図情報から成り、地名辞書２２はその地図情報に含まれるテキストを全文検索して得られたインデックス情報から成る。なお、後述するように、ナビ用地図データベース２３及び地名辞書２２は、インターネット上の中継サーバ等のデータベースによっても実現される。
【００１６】
図４は、図３のブラウザ機能２１の基本的な処理フロー例を示したものである。本例では、特定の「言葉」をハイライト表示する機能を備えた専用のインターネットブラウザが使用される。この専用ブラウザには、図３のブラウザ機能２１、地名辞書２２、及びナビ用地図データベース２３が一体として組み込まれている。
【００１７】
ブラウザ機能２１は、先ずインターネットからあるホームページのＨＴＭＬファイルを読込む（Ｓ１０）。次に、ＨＴＭＬファイルのコンテンツの構文解析により得られた「言葉」と地名辞書２２との照合を行なう（Ｓ１１及び１２）。
【００１８】
専用のインターネットブラウザは、地名辞書２２と一致した「言葉」をハイライト表示する。この場合、読込まれたＨＴＭＬファイルは修正されない。また、ブラウザ機能２１は、一致した「言葉」とナビ用地図データベース２３の対応する地図情報とをリンクさせる（Ｓ１３）。
【００１９】
次に、ハイライト表示された特定の「言葉」がクリックされると、ブラウザ機能２１が有する所定のドライバがナビ用地図データベース２３をアクセスして対応する地図情報を読み出してそれを表示する（Ｓ１４及び１５）。
【００２０】
図５は、図３のブラウザ機能２１のもう一つの基本的な処理フロー例を示したものである。本例では、閲覧に関しては一般に広く使用されている通常のインターネットブラウザが使用される。
ブラウザ機能２１は、先ずインターネットからあるホームページのＨＴＭＬファイルを読込む（Ｓ２０）。次に、ＨＴＭＬファイルのコンテンツの構文解析により得られた「言葉」と地名辞書２２との照合を行なう（Ｓ２１及び２２）。ここまでは、図４と同じである。
【００２１】
本例では、通常のインターネットブラウザ上に地名辞書２２と一致した「言葉」をハイライト表示するために、読込まれたＨＴＭＬファイルが修正される。すなわち、ブラウザ機能２１は、ＨＴＭＬファイルに一致した「言葉」をハイライト表示するためのタグを埋め込むか、又は一致した「言葉」だけを表示するフレームを追加する（Ｓ２３）。後者の場合、読込んだＨＴＭＬファイルのコンテンツ自体は変更されない利点がある。
【００２２】
これらの修正によって、通常のインターネットブラウザ上には一致した特定の「言葉」がハイライト表示される（Ｓ２４）。この場合、ブラウザ機能２１は、特定のＩＰアドレス（プライベートアドレス、等）を有する簡易なＨＴＴＰサーバ機能を有しており、その機能によりローカルに存在するナビ用地図データベース２３の対応する地図情報を読込む。その結果、ハイライト表示された特定の「言葉」をクリックすると、対応するナビ用地図データベース２３の地図情報が表示される。
【００２３】
図６及び７には、図３〜５の一実施例を示している。
図６では、図４又は５の処理フローによって地名辞書２２と一致した「神戸市」が太文字と網掛けとを用いてハイライト表示されている。図７は、図６の「神戸市」をクリックすると表示される神戸市近郊の地図の例を示している。また、後述する図１２には、地名辞書２２と一致した「神戸市」をフレーム表示した例を示している。なお、ハイライト表示する際には、同じ地名が多数出現すると見えにくくなるので、１画面には同一地名は一か所しかハイライトしない等の方法を用いることもできる。
【００２４】
本発明のインターネット閲覧システムによれば、インターネット上のホームページのリンク先がインターネット上のコンテンツには限定されない利点が生じる。例えば、図６及び７では、地名辞書２２及びナビ用地図データベース２３のいずれも移動情報端末内の記録媒体に格納されたナビ用地図データを利用するものである。そのため、ブラウザ上の「言葉（例えば「地名」）」と関連する情報も、地図データや建物の写真、建物への連絡先情報等のように移動に必要な情報に限定される。
【００２５】
従って、本願発明では、もともと移動に関連する「言葉」が所定のカテゴリーに選別されてハイライト表示されるため、その言葉に対応して表示される情報も特に選別を必要としない。よって、サーチエンジン等の検索ツール等を使用せずに移動に必要な情報が簡単なクリック操作で直ちに取得される。
【００２６】
図８は、図３の基本構成の一変形例を示したものである。
図８では、図３の基本構成において新たに観光地写真データベース２４が追加されている。ナビゲーション用の地図情報を収めた記録媒体（例えば、ＣＤ、ＤＶＤ、ＨＤ等）は大容量なため、地図以外の多くの情報が収められ、本例では地名と地図とのリンク情報に加えて、さらにその地名と関連する写真があればそれを観光地写真データベース２４として構成し、地名辞書２２がその写真データへのリンク情報を管理する。
【００２７】
図９は、図８の一実施例を示したものである。
図８では、１つの「地名（神戸市）」に複数のデータ（地図と写真）がリンクされている。そのため、例えば「神戸市」をクリックすると、ブラウザ機能２１はいずれか１つを選択させるためのダイアログを始めに表示する。これにより、現時点でより必要な情報を簡単なクリック操作で直ちに取得できる。
【００２８】
なお、地図情報と写真情報の両方を持つ「地名」には、他の「地名」と視覚的に区別できるように、そのハイライトの色を変えてもよい。また、初期設定により、例えば「写真」だけを選択して表示するようにしてもよい。
【００２９】
図１０は、図３の基本構成の別の変形例を示したものである。
図１０では、図３の基本構成において新たに電話帳データベース２５及び公共施設辞書２６が追加されている。本例でもナビゲーション用の地図情報を収めた記録媒体は大容量で地図以外の多くの情報を含むため、ここでは地名と地図とのリンク情報に加えて、さらにその地名と関連する公共施設とその連絡先である電話番号について公共施設辞書２６とその電話帳データベース２５とを設けている。公共施設辞書２６が電話帳データベース２５とのリンク情報を管理する。
【００３０】
図１１及び１２は、図１０の一実施例を示したものである。
図１１では、公共施設辞書２６と一致した「神戸市役所」がハイライト表示されている。それをクリックするか又はマウスポインタをその表示領域内におくと、電話帳データベース２５から神戸市役所の電話番号が読み出されて表示される。この場合は、携帯電話の接続されたシステムであれば自動ダイヤルも可能となる。
【００３１】
図１２には、上記のようにホームページ上の個々の「言葉」をハイライト表示するのに代えて、地名辞書及び公共施設辞書２６と一致した「言葉」だけをまとめて表示するフレーム形式を採用した例を示している。この場合には、一致した語句が分かり易くなり、ホームページの元のコンテンツ自体を修正する必要がなくなる。
【００３２】
これまでの例から明らかなように、辞書やデータベースはカテゴリー別に複数設けることが可能である。また、一致した「言葉」を各カテゴリー別に色分けすることで、カテゴリーの判別を容易にすることもできる。さらに、辞書とデータベースは互いに分離して独立に構成してもよく、反対に一つのデータベースとして構成してもよい。
【００３３】
図１３〜１７は、本発明よるインターネット閲覧システムを、インターネット上のサーバを含めて構成した幾つかの実施例を示したものである。
本発明よるインターネット閲覧システムは、これまでは移動情報端末側で全て処理していた。しかしながら、移動情報端末側に全てのデータベースや辞書を設けると端末側の負担が過大となる。そのため、以降の実施例ではデータベースや辞書の構成部分の一部又は全部をインターネット側のサーバに設けることで負荷分散を図り、移動情報端末側の負荷を軽減している。
【００３４】
図１３の例は、インターネット側の中継サーバ３’に本発明による辞書機能２２’とデータベース機能２２’とを持たせている。ここでは、移動情報端末１のブラウザ機能２１は通常のインターネットブラウザのみで構成される。移動情報端末１がインターネット上のホームページを要求すると、要求されたホームページのデータはアクセスポイント３に設置された専用の中継サーバ３’を通過する。
【００３５】
本例では、中継サーバ３’内の検索／ページ表示部３１が要求されたホームページのデータを一旦記憶する。そして、辞書機能２２’及びデータベース機能２２’を用いて一致する「言葉」を検索し、一致した「言葉」をハイライト表示する修正をそのホームページに加えてから移動情報端末１へ送出する。従って、本例の検索／ページ表示部３１は、図５と同様の処理フローを実行する。
【００３６】
この場合、修正後のホームページ上でハイライト表示された「言葉」のリンク情報（ＵＲＬ）には、中継サーバのＩＰアドレス及びそのディレクトリ情報等が使われる。本例では、複数の移動情報端末に対して辞書機能２２’及びデータベース機能２２’が共用できるため、ナビ用地図データの有効利用が可能となる。また、移動情報端末１は、通常のインターネットブラウザを使用するだけであり、本発明による特別の処理は一切発生しない。従って、地図データ等を保有しない一般の情報端末でも本願発明を利用することが可能となる。
【００３７】
図１４の例は、インターネット側の中継サーバ３’に検索／ページ表示部３１と辞書機能２２’とを持たせている。本例の検索／ページ表示部３１は、修正されたホームページに移動情報端末１内の地図データベース２３に対するリンク情報を付加する。移動情報端末１のブラウザ機能２１は、そのリンク情報を使って自端末内の地図データベース２３にアクセスする。
【００３８】
従って、本例のブラウザ機能２１は、図４の処理フローの後段部分（Ｓ１３〜１５）を実行することになる。これにより、データ量の大きな地図情報の通信が低減され、且つ地図表示が高速化される。なお、データベースは一般に巨大化するため、インターネット側の中継サーバ３’にデータベース機能２３’を持たせて移動端末１側に辞書機能２２だけを持たせる構成とすることもできる。
【００３９】
図１５の例は、インターネット側の中継サーバ３’と移動情報端末１の双方にデータベースの機能を持たせている。この構成では、移動情報端末１は原則として自己の地図データベース２３を利用し、そこに存在しない地図情報だけを中継サーバ３’のデータベース機能２３’から取得する。これにより、ネットワークとの通信量が低減され、また中継サーバ３’だけが保有する最新の地図情報の表示等も可能になる。
【００４０】
図１６の例は、インターネット側の中継サーバ３’は辞書機能２２’だけを有している。本例の検索／ページ表示部３１は、検索ロボット等を用いてインターネット上の別のサーバに設けられたデータベース機能２３’’を検索し、その結果を自己の辞書機能２２’に登録する。これにより、一般の地図データには含まれない地域の詳細地図や建物の写真等も該当ホームページから取得可能となるため、同一カテゴリーのより広範な情報が利用可能となる。
【００４１】
図１７の例は、先に説明した図１４の例の変形例に相当するものである。本例では、インターネット上に複数の中継サーバ３’が存在しており、各中継サーバ３’は互いにデータベースの版数が異なる辞書機能２２’を有している。図中にはデータベースの版数が「１」の辞書（Ｖｏｌ．１）を持つ中継サーバと版数が「２」の辞書（Ｖｏｌ．２）を持つ中継サーバとが示されている。
【００４２】
移動情報端末１は、先ずアクセスポイント３に対して自己が保有するデータベースの版数（本例では「２」）を通知する。それを受けて、データベースの版数２の辞書（Ｖｏｌ．２）を持つ中継サーバ３’が選択され、版数の一致したデータの受信が可能となる。以降の処理は図１４の例と同様である。
【００４３】
上記の例では、先ずアクセスポイント３にアクセスし、そこで対応する中継サーバ３’を選択したが、他には先ずデフォルトの中継サーバ３’に通知して、それが対応する中継サーバ３’を選択し又は指示するようにしてもよい。
【００４４】
また、本例ではデータベースの版数を通知するが、その他にもカテゴリー種別、細分化されたデータ種別、データ量、転送速度、等の種々のパラメータを通知して、最適の中継サーバ３’を選択できるようにしてもよい。さらに、移動情報端末１からこのようなパラメータを定期的に中継サーバ３’に通知して、中継サーバ３’内で保有する各移動情報端末に関する情報を随時更新できるようにしてもよい。このような構成により、移動情報端末毎に適切な情報の提供が可能となる。
【００４５】
なお、これまでは移動情報端末と関連する「地名」等のカテゴリーについて本発明を説明してきたが、図１８に例示するような種々のカテゴリーについても同様の構成で実現することができる。この場合には、一般情報端末のＣＤ／ＤＶＤやハードディスク等、又はインターネット上の中継サーバにカテゴリー別の情報ソースを予め格納しておく。
【００４６】
【発明の効果】
以上述べたように、本発明によれば移動情報端末においてブラウザ上に表示される特定の「言葉」の簡単なクリック操作によって適切な情報だけを表示させるインターネット閲覧システムを提供可能となる。また一般の情報端末においても、インターネットブラウザ上に表示される特定の「言葉」の簡単なクリック操作によって所望のカテゴリー範囲内の適切な情報だけを表示させることが可能となる。
【図面の簡単な説明】
【図１】ホームページの一表示例を示した図である。
【図２】本発明よるインターネット閲覧システムが適用される通信システムの一例を示した図である。
【図３】本発明よるインターネット閲覧システムの基本構成を示した図である。
【図４】ブラウザ機能の基本的な処理フロー例を示した図である。
【図５】ブラウザ機能の別の基本的な処理フロー例を示した図である。
【図６】本発明によるホームページの表示例（１）を示した図である。
【図７】本発明によるホームページの表示例（２）を示した図である。
【図８】本発明の別の構成例（１）を示した図である。
【図９】本発明によるホームページの表示例（３）を示した図である。
【図１０】本発明の別の構成例（２）を示した図である。
【図１１】本発明によるホームページの表示例（４）を示した図である。
【図１２】本発明によるホームページの表示例（５）を示した図である。
【図１３】本発明の別の構成例（３）を示した図である。
【図１４】本発明の別の構成例（４）を示した図である。
【図１５】本発明の別の構成例（５）を示した図である。
【図１６】本発明の別の構成例（６）を示した図である。
【図１７】本発明の別の構成例（７）を示した図である。
【図１８】本発明が適用されるカテゴリーの例を示した図である。
【符号の説明】
１…移動情報端末
２…無線基地局
３…アクセスポイント
３’…中継サーバ
１１…表示器
１２…プロセッサ部
１３…記録媒体
１４…無線電話部
２１…ブラウザ機能
２２、２２’、２６…辞書
２３、２３’、２４…データベース
３１…検索／ページ表示部
【図１】
2004287569.tif 000003
【図２】
2004287569.tif 000004
【図３】
2004287569.tif 000005
【図４】
2004287569.tif 000006
【図５】
2004287569.tif 000007
【図６】
2004287569.tif 000008
【図７】
2004287569.tif 000009
【図８】
2004287569.tif 000010
【図９】
2004287569.tif 000011
【図１０】
2004287569.tif 000012
【図１１】
2004287569.tif 000013
【図１２】
2004287569.tif 000014
【図１３】
2004287569.tif 000015
【図１４】
2004287569.tif 000016
【図１５】
2004287569.tif 000017
【図１６】
2004287569.tif 000018
【図１７】
2004287569.tif 000019
【図１８】
2004287569.tif 000020